(57)【要約】【課題】原稿枚数を把握しておくことなく、原稿の読み取りが正常に終了したか否かを判断することができると共に、重送が発生した場合には、重送発生箇所に見当をつけることができる画像形成装置を提供する。【解決手段】セットされた原稿を１枚ずつ順次搬送する原稿給送部３と、搬送されてくる原稿を読み取って原稿画像データを取得する原稿読取部２とを有する画像形成装置１であって、原稿画像データにおける上下余白の一部もしくは全部を抽出領域として特定する抽出領域特定部７１と、原稿読取部２によって取得された複数の原稿画像データから抽出領域特定部７１によって特定された抽出領域の画像をノンブル画像としてそれぞれ抽出するノンブル画像抽出部７２と、ノンブル画像抽出部７２によって抽出された複数のノンブル画像を集約したノンブル検証頁を生成するノンブル画像集約部７３とを備えている。【選択図】図３
2018006946.tif 000002
【特許請求の範囲】
【請求項１】
セットされた原稿束を１枚ずつ順次搬送する原稿給送部と、前記原稿給送部によって搬送されてくる原稿を読み取って原稿画像データを取得する原稿読取部とを有する画像形成装置であって、
前記原稿画像データにおける上下余白の一部もしくは全部を抽出領域として特定する抽出領域特定部と、
前記原稿読取部によって取得された複数の前記原稿画像データから前記抽出領域特定部によって特定された前記抽出領域の画像をノンブル画像としてそれぞれ抽出するノンブル画像抽出部と、
前記ノンブル画像抽出部によって抽出された複数の前記ノンブル画像を集約したノンブル検証頁を生成するノンブル画像集約部とを具備することを特徴とする画像形成装置。
【請求項２】
前記ノンブル画像集約部は、前記ノンブル画像と、抽出した抽出頁数とを対応付けして配置した前記ノンブル検証頁を生成することを特徴とする請求項１記載の画像形成装置。
【請求項３】
前記抽出領域特定部によって複数の前記抽出領域が特定された場合、前記ノンブル画像集約部は、前記ノンブル画像を前記抽出領域毎に分けて配置した前記ノンブル検証頁を生成することを特徴とする請求項１又は２記載の画像形成装置。
【請求項４】
前記原稿画像データから前記ノンブル画像を抽出する抽出頁間隔が設定可能であることを特徴とする請求項１乃至３のいずれかに記載の画像形成装置。
【請求項５】
設定可能な抽出頁間隔は、偶数であることを特徴とする請求項４記載の画像形成装置。
【請求項６】
前記抽出領域特定部は、前記原稿画像データの上辺から下方向に上余白に存在する閾値以上の黒点を探していき、最初に見つかった黒点を含む所定の領域を前記抽出領域として特定すると共に、前記原稿画像データの下辺から上方向に下余白に存在する閾値以上の黒点を探していき、最初に見つかった黒点を含む所定の領域の前記抽出領域として特定することを特徴とする請求項１乃至５のいずれかに記載の画像形成装置。
【発明の詳細な説明】
【技術分野】
【０００１】
本発明は、原稿を自動給送して読み取る原稿読取部を備えた画像形成装置に関する。
【背景技術】
【０００２】
複写機、スキャナー、複合機等の画像形成装置には、複数の原稿を重ねて載置（セット）し、複数の原稿を順次給送するＡＤＦ（Auto Document Feeder）と称される原稿給送部と、原稿給送部によって給送されてくる原稿を読み取る原稿読取部とが設けられていることが多い。このような画像形成装置では、何枚かの原稿が重なったまま給送される重送が発生し、原稿の読み取りに抜けが生じてしまうことがある。そこで、原稿読取部によって読み取った原稿の枚数をカウントして表示することで、原稿の読み取りが正常に終了したか否かを判断可能にする技術（例えば、特許文献１参照）や、重送の発生を検出する技術（例えば、特許文献２参照）が提案されている。
【先行技術文献】
【特許文献】
【０００３】
【特許文献１】特開２００７−２２１２４６号公報
【特許文献２】特開平７−２３７７８７号公報
【発明の概要】
【発明が解決しようとする課題】
【０００４】
しかしながら、特許文献１では、原稿枚数を予め把握しておく必要があり、原稿枚数が多くなると、手動で原稿枚数を数える負担が大きくなる。そして、原稿読取部によって読み取った原稿の枚数をカウントと原稿枚数とが異なる場合、どの頁で重送が生じたか全く分からないという問題点があった。また、特許文献２では、重送を検知することはできても、重送が発生しなかったことは証明できないため、原稿の読み取りが正常に終了したか否かを判断することができないという問題点があった。
【０００５】
本発明の目的は、上記問題点に鑑み、従来技術の問題を解決し、事前に原稿枚数を把握しておくことなく、原稿の読み取りが正常に終了したか否かを判断することができると共に、重送が発生した場合には、重送発生箇所に見当をつけることができる画像形成装置を提供することにある。
【課題を解決するための手段】
【０００６】
本発明の画像形成装置は、セットされた原稿束を１枚ずつ順次搬送する原稿給送部と、前記原稿給送部によって搬送されてくる原稿を読み取って原稿画像データを取得する原稿読取部とを有する画像形成装置であって、前記原稿画像データにおける上下余白の一部もしくは全部を抽出領域として特定する抽出領域特定部と、前記原稿読取部によって取得された複数の前記原稿画像データから前記抽出領域特定部によって特定された前記抽出領域の画像をノンブル画像としてそれぞれ抽出するノンブル画像抽出部と、前記ノンブル画像抽出部によって抽出された複数の前記ノンブル画像を集約したノンブル検証頁を生成するノンブル画像集約部とを具備することを特徴とする。
さらに、本発明の画像形成装置において、前記ノンブル画像集約部は、前記ノンブル画像と、抽出した抽出頁数とを対応付けして配置した前記ノンブル検証頁を生成しても良い。
さらに、本発明の画像形成装置において、前記抽出領域特定部によって複数の前記抽出領域が特定された場合、前記ノンブル画像集約部は、前記ノンブル画像を前記抽出領域毎に分けて配置した前記ノンブル検証頁を生成しても良い。
さらに、本発明の画像形成装置において、前記原稿画像データから前記ノンブル画像を抽出する抽出頁間隔が設定可能であっても良い。
さらに、本発明の画像形成装置において、設定可能な抽出頁間隔は、偶数であっても良い。
さらに、本発明の画像形成装置において、前記抽出領域特定部は、前記原稿画像データの上辺から下方向に上余白に存在する閾値以上の黒点を探していき、最初に見つかった黒点を含む所定の領域を前記抽出領域として特定すると共に、前記原稿画像データの下辺から上方向に下余白に存在する閾値以上の黒点を探していき、最初に見つかった黒点を含む所定の領域の前記抽出領域として特定しても良い。
【発明の効果】
【０００７】
本発明によれば、ノンブル検証頁として集約した複数のノンブル画像を見ることで、事前に原稿枚数を把握しておくことなく、原稿の読み取りが正常に終了したか否かを判断することができるという効果を奏する。そして、重送が発生した場合には、複数のノンブル画像によって重送発生箇所に見当をつけることができ、見当をつけた範囲で読み取った原稿画像データと原稿とを検証することで、重送発生箇所を簡単に特定することができる。
【図面の簡単な説明】
【０００８】
【図１】本発明に係る画像形成装置の実施の形態の内部構成を示す断面模式図である。
【図２】図１に示す操作部の構成を示す図である。
【図３】図１に示す画像形成装置の概略構成を示すブロック図である。
【図４】図１に示すタッチパネルに表示される原稿読み取り画面例及びノンブル検証設定画面例を示す図である。
【図５】本発明に係る画像形成装置の実施の形態におけるノンブル検証動作を説明するフローチャートである。
【図６】図３に示す抽出領域特定部によるノンブル画像の抽出例を説明する説明図である。
【図７】図３に示すノンブル画像集約部によって生成されたノンブル検証頁例を示す図である。
【発明を実施するための形態】
【０００９】
次に、本発明の実施の形態を、図面を参照して具体的に説明する。
本実施の形態は、複写機、スキャナー、複合機等のスキャナー機能を備えた画像形成装置１であり、ノンブル（頁番号）が印刷されている原稿束（例えば、のど部を切断した本や雑誌等）を読み取る際に、読み取ったノンブルによって原稿の読み取りが正常に終了したか否かを検証する機能を備えている。画像形成装置１は、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１０】
画像形成装置１の手前側には、画像形成装置１の設定や動作指示を行う操作部５が配設されている。操作部５は、図２を参照すると、液晶表示パネルの表面に透明の感圧センサーが設けられたタッチパネル５１、印刷枚数等の数値を入力するためのテンキー５２、設定情報を初期化させる指示を入力するためのリセットキー５３、複写動作を停止させたり、入力された数値を消去させたりするためのストップキー５４、割り込みコピーを指示する割り込みキー５５、印刷動作を開始させる出力指示を入力するためのスタートキー５６、等の各種操作キーを備えている。
【００１１】
また、操作部５は、モード切替キーとして、コピー機能を指示するコピーキー５７と、スキャナー機能を指示するスキャナーキー５８と、印刷機能を指示する印刷キー５９とを備え、これらのモード切替キーによって指示された機能モードに対応する操作画面がタッチパネル５１に表示される。なお、コピー機能は、原稿読取部２によって読み取った原稿ＭＳの画像データを記録紙Ｐに印刷するモードである。また、スキャナー機能は、原稿読取部２によって読み取った原稿ＭＳの画像データを記憶手段に記憶させるモードである。さらに、印刷機能は、記憶手段に記憶されている画像データを記録紙Ｐに印刷するモードである。
【００１２】
原稿読取部２は、図１を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳの搬送方向に移動可能に構成されている。プラテンガラス２２は、ガラス等の透明部材により構成された原稿台である。原稿読取スリット２３は、原稿給送部３による原稿ＭＳの搬送方向と直交する方向に形成されたスリットである。
【００１３】
原稿給送部３は、ＡＤＦ（Auto Document Feeder）と称される自動原稿送り装置であり、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１４】
原稿搬送機構３３は、ピックアップローラー３４と、給紙ローラー３５と、搬送ローラー３６と、切替爪３７と、反転ローラー３８とを備えている。ピックアップローラー３４によって原稿載置部３１からピックアップされた原稿ＭＳは、給紙ローラー３５によって、原稿の搬送路に沿って複数配置された搬送ローラー３６に供給される。そして、原稿ＭＳは、搬送ローラー３６によって、原稿読取スリット２３に対向する位置へ搬送される。これにより、原稿ＭＳの表面が読み取られる。
【００１５】
切替爪３７は、回動可能に取り付けられており、原稿ＭＳの搬送先を原稿排出部３２と反転ローラー３８とのいずれかに切り換える。反転ローラー３８は、原稿ＭＳの原稿搬送方向の前後を反転するためのローラーであり、正逆回転の切り替えが可能となっている。反転ローラー３８によって原稿搬送方向の前後が反転された原稿ＭＳは、表裏が反転された状態で原稿読取スリット２３よりも原稿搬送方向上流側に戻され、搬送ローラー３６によって、原稿読取スリット２３に対向する位置へ搬送される。これにより、原稿ＭＳの裏面が読み取られる。
【００１６】
原稿載置部３１に原稿ＭＳがセットされていない状態や、原稿給送部３（プラテンカバー）が開いた開状態で、操作部５のスタートキー５６によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って原稿画像データを取得し、取得した原稿画像データを本体部４に出力する。
【００１７】
原稿載置部３１に原稿ＭＳがセットされた状態で、操作部５のスタートキー５６によって原稿ＭＳの読み取りが指示されると、スキャナー２１は、原稿読取スリット２３と対向する位置に移動され、原稿読取スリット２３を介して、原稿給送部３により搬送される原稿ＭＳが読み取られる。スキャナー２１は、原稿給送部３による搬送動作と同期して原稿ＭＳを読み取って原稿画像データを取得し、取得した原稿画像データを本体部４に出力する。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。
【００１８】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部４０として機能する。
【００１９】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、原稿画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙を加熱してトナー像を記録紙Ｐに定着させる。そして感光体ドラム６１上に残存するトナーは、クリーニング部６７によって除去される。
【００２０】
図３には、画像形成装置１の概略構成を示すブロック図が示されている。上述の原稿読取部２、原稿給送部３、搬送部４０（給紙ローラー４２、搬送ローラー４４、排出ローラー４５）、操作部５及び記録部６は、制御部７に接続され、制御部７によって動作制御される。また、制御部７には、画像処理部８と、記憶部９とが接続されている。
【００２１】
画像処理部８は、原稿画像データに対して所定の画像処理を行う手段であり、例えば、回転処理、拡大縮小処理や、階調調整、濃度調整等の画像改善処理が行われる。
【００２２】
記憶部９は、半導体メモリーやＨＤＤ（Hard Disk Drive）等の記憶手段であり、原稿読取部２によって原稿ＭＳを読み取ることで取得された原稿画像データが記憶されると共に、各種の管理情報が記憶されている。
【００２３】
制御部７は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。また、制御部７は、抽出領域特定部７１、ノンブル画像抽出部７２、ノンブル画像集約部７３として機能する。
【００２４】
次に、本実施の形態の画像形成装置１におけるノンブル検証動作について図４乃至図６を参照して詳細に説明する。
ユーザーが原稿ＭＳを原稿給送部３の原稿載置部３１にセットし、操作部５のスキャナーキー５８を操作すると、制御部７は、図４（ａ）に示す原稿読み取り画面８０をタッチパネル５１に表示させる。原稿読み取り画面８０は、スキャナー動作の各種設定を受け付ける画面であり、読み取る色（白黒ｏｒカラー等）を選択するカラー選択キー８１と、読み取り面（両面ｏｒ片面）を選択する読み取り面選択キー８２と、読み込み解像度（１５０ｄｐｉ、３００ｄｐｉ等）を選択する読み込み解像度選択キー８３と、原稿セット向き（上辺を上向きｏｒ上辺を左向き等）を選択する原稿セット向き選択キー８４と、原稿の濃度（濃いｏｒふつうｏｒ薄い）を選択する濃度選択キー８５と、ノンブル検証設定キー８６とを備えている。
【００２５】
原稿読み取り画面８０において、ユーザーがノンブル検証設定キー８６を操作すると、制御部７は、図４（ｂ）に示すノンブル検証設定画面９０をタッチパネル５１に表示させ、ノンブル検証の各種設定を受け付ける。ノンブル検証設定画面９０には、ノンブル検証を「する」か「しない」かを設定するノンブル検証可否設定欄９１と、ノンブル画像の抽出領域の特定方法を設定する抽出領域設定欄９２と、ノンブル画像を抽出する間隔を設定する抽出頁間隔設定欄９３と、ノンブル検証の結果であるノンブル集約頁の出力方法を設定する出力方法設定欄９４とが設けられている。
【００２６】
以下、ノンブル検証可否設定欄９１においてノンブル検証を「する」に設定され、且つ抽出領域設定欄９２において抽出領域の特定方法が「自動」に設定された場合のノンブル検証動作について説明する（ステップ１０１、１０２）。
【００２７】
制御部７は、スタートキー５６の操作を監視し（ステップ１０３）、スタートキー５６が操作されると、原稿給送部３によって原稿ＭＳを給紙・搬送させて、原稿読取部２によって原稿ＭＳを読み取り（ステップ１０４）、読み取った原稿画像データを記憶部９に記憶させる（ステップ１０５）。
【００２８】
次に、制御部７は、抽出領域特定部７１として機能し、ノンブル画像を抽出する抽出領域を特定する抽出領域特定動作（ステップ１０６〜ステップ１０９）を行う。ノンブルは、一般的に本文とは離して上下余白の部分に印字される。従って、抽出領域特定部７１は、原稿画像データの上下余白からノンブル画像を自動抽出する（ステップ１０６）。ノンブル画像の自動抽出は、読み取った原稿画像データの上辺から出発し、上下余白の部分で最初に文字の出現する領域を探す。例えば、図６（ａ）に示すように、上辺から下方向に上余白に存在する閾値以上の黒点Ａを探していき、最初に見つかった黒点Ａを含む所定の領域の画像をノンブル画像として抽出すると共に、下辺から上方向に下余白に存在する閾値以上の黒点Ａを探していき、最初に見つかった黒点Ａを含む所定の領域の画像をノンブル画像として抽出する。なお、ノンブル画像を抽出する上下余白の領域は、予め設定しておいても良く、ユーザーが設定可能にしても良い。
【００２９】
行の中ではノンブルは、頁の小口側に置かれる場合が多いので、小口側から数文字分を抜き出すと良い。このためには、頁の「のど」と「小口」とを認識する必要がある。そこで、一般的に横書き文書では奇数頁の左側がノド、右側が小口であり、縦書きの文書ではその反対であるため、原稿ＭＳが縦書きと横書きとのいずれであるかを区別することで、「のど」と「小口」を認識することが可能になる。縦書き・横書きの区別は、図示しない設定画面からユーザーが設定するようにしても良く、原稿画像データを分析して判別するようにしても良い。また、原稿ＭＳが見開きの場合は外側が小口と認識できる。
【００３０】
次に、抽出領域特定部７１は、上下余白のノンブル画像が抽出できたか否かを判断する（ステップ１０７）。図６（ｂ）に示すように、上下余白のいずれでも閾値以上の黒点Ａを見つけることができず、ノンブル画像を抽出できなかった場合、制御部７は、次の原稿ＭＳがあるか否か、すなわち原稿給送部３の原稿載置部３１に原稿ＭＳが載置されているか否かを判断し（ステップ１０８）、ステップ１０８で次の原稿ＭＳがある場合には、ステップ１０４に戻って原稿給送部３によって次の原稿ＭＳを給紙・搬送させて、原稿読取部２によって原稿ＭＳを読み取る。ノンブルは、目次の頁、白紙の頁、図表の頁等で省略されることがあるため、そのような頁ではノンブル画像を抽出することができない。従って、最初にノンブル画像が抽出される頁まで、順次原稿ＭＳの読み取りを行う。なお、ステップ１０８で次の原稿ＭＳがない場合、ノンブル画像が抽出されることなく、全頁の読み取りが終わったことになり、制御部７は、ノンブル検証動作を終了させる。
【００３１】
ステップ１０７で上下余白のいずれか若しくは両方からノンブル画像が抽出できた場合、抽出領域特定部７１は、ノンブル画像を抽出した領域を抽出領域として特定する（ステップ１０９）。なお、抽出したノンブル画像は、あくまでノンブルであると推定される箇所であり、図６（ａ）の上余白部分に示すように、有効なノンブルではない場合がある。従って、上下余白の両方からノンブル画像が抽出できた場合、抽出領域特定部７１は、上下余白の両方において、それぞれ抽出領域を特定する。
【００３２】
次に、抽出領域特定部７１は、抽出したノンブル画像を抽出頁数及び抽出領域と対応させて記憶部９に記憶させる（ステップ１１０）。なお、抽出領域設定欄９２において抽出領域の特定方法が「ユーザー設定」に設定されている場合、抽出領域特定部７１は、ステップ１０６〜１０９の抽出領域特定動作の代わりに、「ユーザー設定」を抽出領域として特定して、特定した抽出領域の画像をノンブル画像として抽出し、記憶部９に記憶させる。
【００３３】
次に、制御部７は、ノンブル画像抽出部７２として機能する。ノンブル画像抽出部７２は、変数ｎを０にセットし（ステップ１１１）、原稿ＭＳがあるか否か、すなわち原稿給送部３の原稿載置部３１に原稿ＭＳが載置されているか否かを判断する（ステップ１１２）。
【００３４】
ステップ１１２で次の原稿ＭＳがある場合、ノンブル画像抽出部７２は、原稿給送部３によって原稿ＭＳを給紙・搬送させて、原稿読取部２によって原稿ＭＳを読み取り（ステップ１１３）、読み取った原稿画像データを記憶部９に記憶させ（ステップ１１４）、変数ｎをインクリメントする（ステップ１１５）。
【００３５】
次に、ノンブル画像抽出部７２は、変数ｎが抽出頁間隔設定欄９３において設定された抽出頁間隔Ｎに到達したか否かを判断する（ステップ１１６）。ステップ１１６で変数ｎが抽出頁間隔Ｎに到達していない場合、ステップ１１２に戻って次の原稿ＭＳがあるか否かを判断する。
【００３６】
ステップ１１６で変数ｎが抽出頁間隔Ｎに到達した場合、ノンブル画像抽出部７２は、ステップ１０９で抽出領域特定部７１によって特定された抽出領域の画像をノンブル画像として抽出し（ステップ１１７）、抽出したノンブル画像を抽出頁数及び抽出領域と対応させて記憶部９に記憶させ（ステップ１１８）、ステップ１１１に戻る。なお、抽出頁間隔設定欄９３において設定可能な抽出頁間隔Ｎは、図４（ｂ）に示す２、１０、２０頁のように、偶数である。ノンブル記載位置が小口側である場合、奇数頁と偶数頁とでは記載位置が異なってくる。従って、抽出頁間隔Ｎを偶数とすることで、奇数頁のみ、もしくは偶数頁のみからノンブル画像を抽出することができ、抽出領域を奇数頁と偶数頁とで変更させる必要がなくなる。
【００３７】
ステップ１１２で次の原稿ＭＳがない場合、制御部７は、ノンブル画像集約部７３として機能し、記憶部９に記憶させたノンブル画像を集約したノンブル検証頁１００を生成する（ステップ１１９）。ノンブル画像集約部７３は、図７に示すように、ノンブル検証頁１００において、抽出頁数とノンブル画像とを対応付けして配置すると共に、ノンブル画像を抽出領域毎に分けて配置する。また、ノンブル検証頁１００には、総読み取り頁と、抽出領域を示す表記１０１とが配置されている。
【００３８】
次に、ノンブル画像集約部７３は、ステップ１１９で生成したノンブル検証頁１００を出力方法設定欄９４で設定された出力先に出力し（ステップ１２０）、ノンブル検証動作を終了させる。
【００３９】
図７に示すノンブル検証頁１００では、ノンブル画像が３頁目で初めて抽出され、以降、ノンブル画像が抽出頁間隔Ｎ＝１０頁毎に抽出された例が示されている。これによると、ユーザーは、下余白の中央部から抽出されたノンブル画像が有効なノンブルであると分かる。そして、抽出頁数＝３頁から３３頁と、抽出頁数＝４３頁から６３頁とでは、ノンブル画像として抽出されたノンブルも１０頁の間隔になっているため、原稿ＭＳの読み取りが正常に行われたことが分かる。一方、抽出頁数＝３３頁から４３頁では、ノンブル画像として抽出されたノンブルは１２頁の間隔になっている。これにより、ユーザーは、原稿ＭＳの３１頁から４３頁の間で重送が発生している虞があることを把握することができ、この範囲で読み取った原稿画像データと原稿ＭＳとを検証することで、重送発生箇所を簡単に特定することができる。従って、事前に原稿ＭＳの枚数を把握していなくても、原稿ＭＳの読み取りが正常に終了したか否かを判断することができると共に、重送が発生した場合には、重送発生箇所に見当をつけることができる。
【００４０】
大型のタッチパネル５１を備えている場合には、ノンブルの位置（上部か下部か、何文字分抜き出せばよいか、特殊なアルゴリズム（のど側から取り出すなど）が必要か）はスキャン開始後にサンプルをタッチパネル５１に表示させ、対話的に指示を受け付けるようにしても良い。また、本実施の形態では、原稿画像データにおいて上下余白のそれぞれ一部を抽出領域として特定するように構成したが、上余白の全部と下余白の全部とのいずれかもしくは両方を抽出領域として特定するように構成しても良い。さらに、本実施の形態では、最初にノンブル画像が自動抽出された頁のみで抽出領域を特定するように構成したが、複数の頁でノンブル画像が自動抽出し、頁間でその位置のバラツキが最も小さくなるよう抽出領域を特定するようにしても良い。
【００４１】
以上説明したように、本実施の形態は、セットされた原稿ＭＳの束を１枚ずつ順次搬送する原稿給送部３と、原稿給送部３によって搬送されてくる原稿ＭＳを読み取って原稿画像データを取得する原稿読取部２とを有する画像形成装置１であって、原稿画像データにおける上下余白の一部もしくは全部を抽出領域として特定する抽出領域特定部７１と、原稿読取部２によって取得された複数の原稿画像データから抽出領域特定部７１によって特定された抽出領域の画像をノンブル画像としてそれぞれ抽出するノンブル画像抽出部７２と、ノンブル画像抽出部７２によって抽出された複数のノンブル画像を集約したノンブル検証頁１００を生成するノンブル画像集約部７３とを備えている。
この構成により、ノンブル検証頁１００として集約した複数のノンブル画像を見ることで、事前に原稿枚数を把握しておくことなく、原稿ＭＳの読み取りが正常に終了したか否かを判断することができる。そして、重送が発生した場合には、複数のノンブル画像によって重送発生箇所に見当をつけることができ、見当をつけた範囲で読み取った原稿画像データと原稿ＭＳとを検証することで、重送発生箇所を簡単に特定することができる。
【００４２】
さらに、本実施の形態において、ノンブル画像集約部７３は、ノンブル画像と、抽出した抽出頁数とを対応付けして配置したノンブル検証頁１００を生成する。
この構成により、抽出頁数とノンブルとの食い違いを簡単に見つけることができる。
【００４３】
さらに、本実施の形態において、抽出領域特定部７１によって複数の抽出領域が特定された場合、ノンブル画像集約部７３は、ノンブル画像を抽出領域毎に分けて配置したノンブル検証頁１００を生成する。
この構成により、有効なノンブルでないノンブル画像が含まれていても、有効なノンブルのみ簡単に比較することができる。
【００４４】
さらに、本実施の形態では、原稿画像データからノンブル画像を抽出する抽出頁間隔が設定可能である。
この構成により、ノンブル検証に必要な作業負荷をユーザーが選択することができる。
【００４５】
さらに、本実施の形態において、設定可能な抽出頁間隔は、偶数である。
この構成により、奇数頁のみ、もしくは偶数頁のみからノンブル画像を抽出することができ、抽出領域を奇数頁と偶数頁とで変更させる必要がなくなる。
【００４６】
さらに、本実施の形態において、抽出領域特定部７１は、原稿画像データの上辺から下方向に上余白に存在する閾値以上の黒点Ａを探していき、最初に見つかった黒点Ａを含む所定の領域を抽出領域として特定すると共に、原稿画像データの下辺から上方向に下余白に存在する閾値以上の黒点Ａを探していき、最初に見つかった黒点Ａを含む所定の領域の抽出領域として特定する。
この構成により、抽出領域を自動設定することができる。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４８】
１  画像形成装置
２  原稿読取部
３  原稿給送部
４  本体部
５  操作部
６  記録部
７  制御部
８  画像処理部
９  記憶部
２１  スキャナー
２２  プラテンガラス
２３  原稿読取スリット
２４  光源
２５  受光部
３１  原稿載置部
３２  原稿排出部
３３  原稿搬送機構
３４  ピックアップローラー
３５  給紙ローラー
３６  搬送ローラー
３７  切替爪
３８  反転ローラー
４０  搬送部
４１  給紙部
４２  給紙ローラー
４３  用紙搬送路
４４  搬送ローラー
４５  排出ローラー
４６  排出空間
５１  タッチパネル
５２  テンキー
５３  リセットキー
５４  ストップキー
５５  割り込みキー
５６  スタートキー
５７  コピーキー
５８  スキャナーキー
５９  印刷キー
６１  感光体ドラム
６２  帯電部
６３  露光部
６４  画像形成部
６５  転写部
６６  定着部
６７  クリーニング部
７１  抽出領域特定部
７２  ノンブル画像抽出部
７３  ノンブル画像集約部
８０  原稿読み取り画面
８１  カラー選択キー
８２  読み取り面選択キー
８３  読み込み解像度選択キー
８４  原稿セット向き選択キー
８５  濃度選択キー
８６  ノンブル検証設定キー
９０  ノンブル検証設定画面
９１  ノンブル検証可否設定欄
９２  抽出領域設定欄
９３  抽出頁間隔設定欄
９４  出力方法設定欄
１００  ノンブル検証頁
１０１  表記
【図１】
2018006946.tif 000003
【図２】
2018006946.tif 000004
【図３】
2018006946.tif 000005
【図４】
2018006946.tif 000006
【図５】
2018006946.tif 000007
【図６】
2018006946.tif 000008
【図７】
2018006946.tif 000009